(57)【要約】      （修正有）【課題】改善された、ガス収集装置及びガス収集装置の制御方法を提供する。【解決手段】ガス収集装置１は、便座２と便器ボウル３との間に位置している少なくとも１個のガス収集部１０−１を備える。ガス収集部は、便器ボウルの内側に向けてキャリアガスを噴出可能な噴出器２０と、便器ボウルからのガスを吸引可能な吸引器３０とを有する。吸引器は、便座と便器ボウルとの間において、噴出器よりも、便器ボウルの方に位置する。吸引器の先端部は、噴出器の先端部よりも、便器ボウルの内側から外側に向かう方向へ、引込んでいる。【選択図】図２
2020165202.tif 000002
【特許請求の範囲】
【請求項１】
便座と便器ボウルとの間に位置している少なくとも１個のガス収集部を備え、
前記ガス収集部は、
前記便器ボウルの内側に向けてキャリアガスを噴出可能な噴出器と、
前記便器ボウルからのガスを吸引可能な吸引器と、を有し、
前記吸引器は、前記便座と前記便器ボウルとの間において、前記噴出器よりも、前記便器ボウルの方に位置し、
前記吸引器の先端部は、前記噴出器の先端部よりも、前記便器ボウルの内側から外側に向かう方向へ、引込んでいる、ガス収集装置。
【請求項２】
請求項１に記載のガス収集装置であって、
前記ガス収集部は、前記便座の内縁部及び前記便器ボウルの内縁部からはみ出さないように位置している、ガス収集装置。
【請求項３】
請求項１又は２に記載のガス収集装置であって、
前記噴出器は、前記便器ボウルの内側を向き、前記キャリアガスが噴出される少なくとも１個の開口部を含む、ガス収集装置。
【請求項４】
請求項１又は２に記載のガス収集装置であって、
前記噴出器は、
前記便器ボウルの内側を向き、前記キャリアガスが噴出される第１開口部と、
前記便座と前記便器ボウルとの間において、前記第１開口部よりも前記便器ボウルの方に位置し、前記便器ボウルの内側を向き、前記キャリアガスが噴出される第２開口部と、を含み、
前記第１開口部から噴出されるキャリアガスの流速は、前記第２開口部から噴出されるキャリアガスの流速よりも、速い、ガス収集装置。
【請求項５】
請求項１又は２に記載のガス収集装置であって、
前記噴出器は、前記便器ボウルの内縁部に略沿って並ぶ複数のノズルを含む、ガス収集装置。
【請求項６】
請求項１から５までの何れか一項に記載のガス収集装置であって、
前記便座は、被検者が前記便座に着座した際に、前記被検者から見て左側に位置する左部分と、前記被検者から見て右側に位置する右部分とを含み、
前記ガス収集部は、前記左部分及び前記右部分の少なくとも何れかに位置している、ガス収集装置。
【請求項７】
請求項６に記載のガス収集装置であって、
対向する２個の前記ガス収集部を備え、
前記２個の前記ガス収集部の一方は、前記左部分に位置し、
前記２個の前記ガス収集部の他方は、前記右部分に位置している、ガス収集装置。
【請求項８】
請求項１から７までの何れか一項に記載のガス収集装置であって、
前記吸引器は、複数のノズルを含む、ガス収集装置。
【請求項９】
請求項８に記載のガス収集装置であって、
前記吸引器の前記複数のノズルの先端部は、前記ガス収集部の筐体から突出している、ガス収集装置。
【請求項１０】
請求項９に記載のガス収集装置であって、
前記筐体から突出する前記複数のノズルの先端は、前記便器ボウルの内側の方を向いている、ガス収集装置。
【請求項１１】
請求項１から１０までの何れか一項に記載のガス収集装置であって、
前記噴出器及び前記吸引器を制御可能な制御部をさらに備える、ガス収集装置。
【請求項１２】
請求項１から１０までの何れか一項に記載のガス収集装置であって、
特定ガスの濃度に応じた電圧を出力するセンサ部と、
前記センサ部にパージガスとサンプルガスとを所定周期で交互に供給することにより、前記センサ部から電圧波形を取得し、取得した電圧波形に基づいて前記サンプルガスに含まれるガスの種類及び濃度を検出し、前記所定周期に基づいて設定される期間、前記噴出器に前記キャリアガスを噴出させて、前記吸引器に前記サンプルガスを吸引させる、制御部とを、さらに備える、ガス収集装置。
【請求項１３】
センサ部と、噴出器と、吸引器と、制御部とを備えるガス収集装置の制御方法であって、
前記センサ部が、特定ガスの濃度に応じた電圧を出力し、
前記制御部が、前記センサ部にパージガスとサンプルガスとを所定周期で交互に供給することにより、前記センサ部から電圧波形を取得し、取得した電圧波形に基づいて前記サンプルガスに含まれるガスの種類及び濃度を検出し、
前記制御部が、前記所定周期に基づいて設定される期間、前記噴出器にキャリアガスを噴出させて、前記吸引器に前記サンプルガスを吸引させる、ガス収集装置の制御方法。
【発明の詳細な説明】
【技術分野】
【０００１】
本開示は、ガス収集装置及びガス収集装置の制御方法に関する。
【背景技術】
【０００２】
従来、被検者が排出した便から発生する臭気性ガスを検出するシステムが知られている（例えば、特許文献１）。
【先行技術文献】
【特許文献】
【０００３】
【特許文献１】特開２０１６−１４５８０９号公報
【発明の概要】
【発明が解決しようとする課題】
【０００４】
従来のシステムでは、ガスを収集する機器等に関して、改善の余地がある。
【０００５】
かかる点に鑑みてなされた本開示の目的は、改善された、ガス収集装置及びガス収集装置の制御方法を提供することにある。
【課題を解決するための手段】
【０００６】
本開示の一実施形態に係るガス収集装置は、
便座と便器ボウルとの間に位置している少なくとも１個のガス収集部を備え、
前記ガス収集部は、
前記便器ボウルの内側に向けてキャリアガスを噴出可能な噴出器と、
前記便器ボウルからのガスを吸引可能な吸引器と、を有し、
前記吸引器は、前記便座と前記便器ボウルとの間において、前記噴出器よりも、前記便器ボウルの方に位置し、
前記吸引器の先端部は、前記噴出器の先端部よりも、前記便器ボウルの内側から外側に向かう方向へ、引込んでいる。
【０００７】
本開示の一実施形態に係るガス収集装置の制御方法は、
センサ部と、噴出器と、吸引器と、制御部とを備えるガス収集装置の制御方法であって、
前記センサ部が、特定ガスの濃度に応じた電圧を出力し、
前記制御部が、前記センサ部にパージガスとサンプルガスとを所定周期で交互に供給することにより、前記センサ部から電圧波形を取得し、取得した電圧波形に基づいて前記サンプルガスに含まれるガスの種類及び濃度を検出し、
前記制御部が、前記所定周期に基づいて設定される期間、前記噴出器にキャリアガスを噴出させて、前記吸引器に前記サンプルガスを吸引させる。
【発明の効果】
【０００８】
本開示の一実施形態によれば、改善された、ガス収集装置及びガス収集装置の制御方法が提供され得る。
【図面の簡単な説明】
【０００９】
【図１】本開示の第１実施形態に係るガス収集装置の概略図である。
【図２】図１に示すＬ１−Ｌ１線に沿ったガス収集部の断面図である。
【図３】図１に示す便器ボウル内のガスの流れの一例を示す図である。
【図４】図１に示す便器ボウル内のガスの流れの他の例を示す図である。
【図５】図１に示すガス収集装置の機能ブロック図である。
【図６】図２に示すガス収集部の一部拡大図である。
【図７】図６に示すＬ２−Ｌ２線に沿った噴出器の断面図である。
【図８】図１に示すガス収集装置の制御の一例を示すタイミングチャートである。
【図９】本開示の第２実施形態に係るガス収集装置のガス収集部を示す図である
【図１０】図９に示すＬ３−Ｌ３線に沿った噴出器の断面図である。
【図１１】本開示の第３実施形態に係るガス収集装置のガス収集部を示す図である。
【図１２】図１１に示すガス収集部の一部拡大図である。
【図１３】図１２に示すＬ４−Ｌ４線に沿った噴出器の断面図である。
【図１４】図１２に示すＬ４−Ｌ４線に沿った他の例の噴出器の断面図である。
【図１５】本開示の第３実施形態に係る他の例の吸引器を示す図である。
【発明を実施するための形態】
【００１０】
以下、本開示に係る実施形態について、図面を参照して説明する。各図は模式的に示したものである。以下では、被検者が図１に示す便座２に着座した際に、被検者から見て右側から左側に向かう方向を、Ｘ軸の正方向とする。Ｘ軸の正方向とＸ軸の負方向とを特に区別しない場合、まとめて「Ｘ方向」とも記載する。また、被検者が図１に示す便座２に着座した際、被検者の正面から背面に向かう方向を、Ｙ軸の正方向とする。Ｙ軸の正方向とＹ軸の負方向とを特に区別しない場合、まとめて「Ｙ方向」とも記載する。また、図２に示す便器ボウル３から便座２に向かう方向を、Ｚ軸の正方向とする。Ｚ軸の正方向とＺ軸の負方向とを特に区別しない場合、まとめて「Ｚ方向」とも記載する。
【００１１】
（第１実施形態）
図１は、本開示の第１実施形態に係るガス収集装置１の概略図である。図２は、図１に示すＬ１−Ｌ１線に沿ったガス収集部１０の断面図である。
【００１２】
図１に示すガス収集装置１は、トイレ室Ｒに設置され得る。トイレ室Ｒには、便座２と、便器ボウル３とが配置されている。被検者は、便座２に着座し得る。便座２に着座した被検者は、便器ボウル３の内部に便を排出し得る。ガス収集装置１は、便器ボウル３に排出された便から発生するガスを、サンプルガスとして収集する。
【００１３】
図１に示す構成では、便器ボウル３の内縁部３Ａの方が、便座２の内縁部２Ａよりも、大きい。ただし、便座２の内縁部２Ａの大きさと便器ボウル３の内縁部３Ａの大きさは、同じであってよい。又は、便座２の内縁部２Ａの方が、便器ボウル３の内縁部３Ａよりも、大きくてよい。便座２と便器ボウル３との間には、クッション４が配置されていてよい。クッション４は、便座２と一体として設けられていてよい。この場合、クッション４は、便座２の、便器ボウル３に対向する面に設けられている。
【００１４】
図１に示すように、ガス収集装置１は、ガス収集部１０−１と、ガス収集部１０−２とを備える。以下、ガス収集部１０−１とガス収集部１０−２とを特に区別しない場合、まとめて「ガス収集部１０」と記載する。図１に示すガス収集装置１は、２個のガス収集部１０を備える。ただし、ガス収集装置１が備えるガス収集部１０の数は、２個に限定されない。ガス収集装置１は、少なくとも１個のガス収集部１０を備えればよい。
【００１５】
図２に示すように、ガス収集部１０は、Ｚ方向において、便座２と便器ボウル３との間に位置している。便座２と便器ボウル３との間のＺ方向における間隔は、ガス収集部１０のＺ方向における長さ（高さ）に応じて、適宜調整されてよい。又は、便座２と便器ボウル３との間のＺ方向における間隔が固定される場合、ガス収集部１０の一部は、便座２及び便器ボウル３の少なくとも何れかに埋め込まれていてよい。また、ガス収集部１０は、図１に示すクッション４が便座２と便器ボウル３との間に配置される場合、クッション４が配置されることで生じる便座２と便器ボウル３との隙間に、配置されていてよい。
【００１６】
図２に示すように、ガス収集部１０は、便座２の内縁部２Ａ及び便器ボウル３の内縁部３Ａの間に位置している。図２に示すように、ガス収集部１０は、便座２の内縁部２Ａ及び便器ボウル３の内縁部３Ａから、はみ出さないように位置していてよい。ガス収集部１０が便座２の内縁部２Ａ及び便器ボウル３の内縁部３Ａからはみ出さないように配置されることにより、ガス収集部１０が、被検者の便及び尿等によって、汚れる蓋然性が低減され得る。図２に示すように、ガス収集部１０は、噴出器２０と、吸引器３０とを有する。
【００１７】
図２に示す噴出器２０は、図１に示す上面視において便器ボウル３の内側に向けてキャリアガスを噴出可能である。キャリアガスは、図１に示すトイレ室Ｒの空気であってよい。噴出器２０から噴出されたキャリアガスは、図２に示す便器ボウル３の内面３Ｃの形状等に依拠して、便器ボウル３の内部を旋回し得る。キャリアガスは、便器ボウル３の内部を旋回することにより、便器ボウル３の底部に位置する便から発生するガスを、吸引器３０の方へ搬送し得る。
【００１８】
図２に示す吸引器３０は、便器ボウル３からのガスを、サンプルガスとして吸引可能である。吸引器３０は、便器ボウル３からのガスを吸引することにより、キャリアガスによって搬送される便から発生したガスを吸引する。
【００１９】
図２に示すように、吸引器３０は、噴出器２０よりも、Ｚ軸の負方向側に位置する。換言すると、吸引器３０は、便座２と便器ボウル３との間において、噴出器２０よりも、便器ボウル３の方に位置する。また、吸引器３０の先端部は、噴出器２０の先端部よりも、便器ボウル３の内側から外側に向かう方向（図２では、便器ボウル３の内縁部３Ａから外縁部３Ｂに向かう方向）へ、引込んでいる。このような構成により、噴出器２０が噴出するキャリアガスの流れを、吸引器３０が阻害してしまう蓋然性が低減され得る。また、このような構成により、吸引器３０は、便から発生したガスが、キャリアガスによって搬送され易い箇所に位置し得る。
【００２０】
図１に示すように、ガス収集部１０は、左部分２Ｌ及び右部分２Ｒの少なくとも何れかに位置していてよい。左部分２Ｌは、被検者が便座２に着座した際に、被検者から見て左側に位置する便座２の部分である。右部分２Ｒは、被検者が便座２に着座した際に、被検者から見て右側に位置する便座２の部分である。ガス収集部１０が左部分２Ｌ及び右部分２Ｒの何れかに位置していることにより、図３に示すように、噴出器２０が噴出したキャリアガスは、便器ボウル３内の便６から発生したガスを、吸引器３０に効率良く搬送することができる。
【００２１】
図３は、図１に示す便器ボウル３内のガスの流れの一例を示す図である。図３に示す構成では、図１に示す右部分２Ｒにガス収集部１０−１が配置されている。図３に示す構成では、被検者が図１に示す便座２に着座していることにより、便器ボウル３のＺ軸の正方向側に被検者の臀部５が位置している。図３に示すように、噴出器２０から噴出されたキャリアガスは、被検者の臀部５の表面に沿って流れ得る。被検者の臀部５の表面に沿って流れるキャリアガスは、便器ボウル３のＸ軸の正方向側に位置する内面３Ｃの形状に依拠して、便６に向かって流れ得る。便６に向かって流れたキャリアガスは、便６から発生したガスを、吸引器３０に搬送する。このように図３に示す構成では、キャリアガスは、ＺＸ平面内を旋回し得る。キャリアガスは、ＺＸ平面内を旋回することにより、便６から発生するガスを、吸引器３０に搬送し得る。
【００２２】
図１に示すように、ガス収集装置１が２個のガス収集部１０を備える場合、２個のガス収集部１０の一方であるガス収集部１０−２が左部分２Ｌに位置していてよい。また、２個のガス収集部１０の他方であるガス収集部１０−１が右部分２Ｒに位置していてよい。この場合、ガス収集部１０−１とガス収集部１０−２は、対向してよい。このような構成により、図４に示すように、対向するガス収集部１０の各々の噴出器２０が噴出したキャリアガスによって、便６から発生したガスを、吸引器３０に効率良く搬送することができる。
【００２３】
図４は、図１に示す便器ボウル３内のガスの流れの他の例を示す図である。図４に示す構成では、図１に示す右部分２Ｒ及び左部分２Ｌの各々にガス収集部１０−１及びガス収集部１０−２が各々位置している。図４に示す構成では、被検者が図１に示す便座２に着座していることにより、便器ボウル３のＺ軸の正方向側に被検者の臀部５が位置している。図４に示すように、ガス収集部１０−１の噴出器２０から噴出されたキャリアガスは、被検者の臀部５の右臀部５Ｒの表面に沿って流れる。また、ガス収集部１０−２の噴出器２０から噴出されたキャリアガスは、被検者の臀部５の左臀部５Ｌの表面に沿って流れ得る。右臀部５Ｒの表面に沿って流れるキャリアガスと、左臀部５Ｌの表面に沿って流れるキャリアガスは、右臀部５Ｒと左臀部５Ｌの間付近で、衝突し得る。右臀部５Ｒと左臀部５Ｌの間付近で衝突したキャリアガスは、便６に向かって流れ得る。便６に向かって流れたキャリアガスのうちの一部は、便６から発生したガスを、ガス収集部１０−１の吸引器３０に搬送し得る。便６に向かって流れたキャリアガスのうちの別の一部は、便６から発生したガスを、ガス収集部１０−２の吸引器３０に搬送し得る。このように図４に示す構成では、キャリアガスの一部は、ＺＸ平面においてＸ軸の負方向側を旋回し得る。キャリアガスの一部は、ＺＸ平面においてＸ軸の負方向側を旋回することにより、便６から発生したガスを、ガス収集部１０−１の吸引器３０に搬送し得る。また、図４に示す構成では、キャリアガスの別の一部は、ＺＸ平面においてＸ軸の正方向側を旋回し得る。キャリアガスの別の一部は、ＺＸ平面においてＸ軸の正方向側を旋回することにより、便６から発生したガスを、ガス収集部１０−２の吸引器３０に搬送し得る。
【００２４】
図５は、図１に示すガス収集装置１の機能ブロック図である。図５に示すように、ガス収集装置１は、ガス収集部１０に加えて、４０と、貯留部５０と、複数のセンサ部６０と、記憶部６１と、通信部６２と、制御部６３とを備えてよい。図５に示す各部を繋ぐ実線は、ガスの流れを示す。図５に示す各部を繋ぐ破線は、通信又は制御の流れを示す。ガス収集装置１は、センサ部６０を備える場合、「ガス検出装置」ともいう。ガス収集装置１は、図５に示す貯留部４０、貯留部５０、センサ部６０、記憶部６１、通信部６２及び制御部６３を収容する専用の筐体を、備えてよい。当該専用の筐体は、ガス収集部１０を小型化するために、図１に示すガス収集部１０とは別の箇所に配置されていてよい。例えば、この専用の筐体は、ガス収集部１０の近辺に配置されていてよい。又は、ガス収集装置１は、例えば１個のガス収集部１０を備える場合、ガス収集部１０の筐体１１に、図５に示す貯留部４０、貯留部５０、センサ部６０、記憶部６１、通信部６２及び制御部６３を備えてよい。
【００２５】
図６は、図２に示すガス収集部１０の一部拡大図である。図７は、図６に示すＬ２−Ｌ２線に沿った噴出器２０の断面図である。図６に示すように、ガス収集部１０は、筐体１１に、上述の噴出器２０及び吸引器３０を備える。図６に示す筐体１１は、合成樹脂等の材料で形成されてよい。
【００２６】
図６に示すように、筐体１１は、正面１１Ａと、正面１１Ｂとを含む。正面１１Ａ及び正面１１Ｂは、便器ボウル３の内部の方を向く面である。正面１１Ａには、噴出器２０の先端部が配されている。正面１１Ｂには、吸引器３０の先端部が配されている。正面１１Ａは、正面１１Ｂよりも、便器ボウル３の内部の方に突き出る。
【００２７】
図７に示すように、筐体１１は、内周面１１Ｃ及び内周面１１Ｄを含む。内周面１１Ｃは、筐体１１の内周面のうち、Ｚ軸の正方向側に位置する面である。内周面１１Ｄは、筐体１１の内周面のうち、Ｚ軸の負方向側に位置する面である。
【００２８】
図７に示すように、噴出器２０は、流路２１と、少なくとも１個の開口部２２とを有する。図５に示すように、噴出器２０は、送風機２３を有する。
【００２９】
図７に示すように、流路２１は、開口部２２に接続されている。流路２１には、図５に示す送風機２３が駆動することにより、図５に示す貯留部４０に貯留されたキャリアガスが流入し得る。流路２１に流入したキャリアガスは、開口部２２から噴出される。流路２１は、筐体１１の内周面により、規定されてよい。開口部２２から噴出されるキャリアガスの向きは、内周面１１Ｃ及び内周面１１Ｄの形状を適宜調整することにより、適宜調整されてよい。例えば、開口部２２から噴出されるキャリアガスによってコアンダ効果が発揮されるように、内周面１１Ｃの形状及び内周面１１Ｄの形状が適宜調整されてよい。開口部２２から噴出されるキャリアガスによってコアンダ効果が発揮されることにより、キャリアガスは、下側のガスを巻き込んで、便器ボウル３の内部へ噴出され得る。このような構成により、より少ない量のキャリアガスにより、便から発生するガスが吸引器３０まで搬送され得る。
【００３０】
図７に示すように、開口部２２から、キャリアガスが噴出される。開口部２２は、筐体１１の内周面１１ＣのＸ軸の正方向側の端部１１Ｃ１と、筐体１１の内周面１１ＤのＸ軸の正方向側の端部１１Ｄ１とによって囲まれる領域として特定されてよい。開口部２２は、図１に示す上面視において便器ボウル３の内側を向く。例えば、図６に示す構成では、Ｘ軸の正方向側は、図１に示す上面視において便器ボウル３の内側に対応する。つまり、図６に示す構成では、開口部２２は、Ｘ軸の正方向を向く。また、開口部２２は、図１に示す便器ボウル３の内縁部３Ａに略沿って延在する。例えば、図１に示すガス収集部１０−１の付近の内縁部３Ａは、上面視において緩やかな弧状である。そのため、図６に示す構成では、Ｙ方向は、図１に示すガス収集部１０−１の付近の内縁部３Ａが略沿う方向に対応する。従って、図６に示す構成では、開口部２２は、Ｙ方向に沿って延在する。
【００３１】
図５に示す送風機２３は、例えば、ファン及びモータ等を含んで構成されてよい。送風機２３は、制御部６３の制御に基づいて、貯留部４０に貯留されたキャリアガスを、図７に示す流路２１を介して開口部２２に向けて送風する。ただし、送風機２３の代わりに、コンプレッサー方式の機器が採用されてよい。この場合、コンプレッサー方式の機器は、ガス収集部１０の外部に位置してよい。送風機２３の代わりのコンプレッサー方式の機器がガス収集部１０の外部に位置することにより、ガス収集部１０を小型化することができる。
【００３２】
図６に示すように、吸引器３０は、少なくとも１つのノズル３１を有する。ただし、吸引器３０は、複数のノズル３１を有してよい。吸引器３０が複数のノズル３１を有する場合、複数のノズル３１のうちの、１つのノズルの吸引力が汚れ等で低下しても、他のノズルの吸引力は維持され得る。このような構成により、吸引器３０は、信頼性を維持することができる。図５に示すように、吸引器３０は、送風機３２を有する。
【００３３】
複数のノズル３１は、図１に示す便器ボウル３の内縁部３Ａに略沿って並ぶ。例えば、上述のように、図６に示す構成では、Ｙ方向は、図１に示すガス収集部１０−１の付近の内縁部３Ａが略沿う方向に対応する。そのため、図６に示す構成では、複数のノズル３１は、Ｙ方向に沿って並ぶ。また、図６に示すように、複数のノズル３１は、間隔ｄ１を空けて、Ｙ方向に沿って並んでよい。間隔ｄ１は、ノズル３１の数等を考慮して、適宜決定されてよい。
【００３４】
図６に示すノズル３１は、樹脂、セラミックス、金属又はガラス等の管状の部材で構成されてよい。図６に示す構成では、ノズル３１の先端部は、正面１１Ｂから突出していない。ただし、図６に示すノズル３１の先端部は、後述の図１１に示すノズル２３１又は後述の図１５に示すノズル２３１ａと同様に、正面１１Ｂから突出してよい。
【００３５】
図５に示す送風機３２は、制御部６３の制御に基づいて、図６に示すノズル３１の付近のガスを、図５に示す貯留部５０に向けて送風する。送風機３２が図６に示すノズル３１の付近のガスを図５に示す貯留部５０に向けて送風することにより、図６に示すノズル３１からガスが吸引され得る。
【００３６】
図５に示す貯留部４０は、貯留槽４１と、ポンプ４２とを有する。貯留槽４１は、キャリアガスを貯留可能である。貯留槽４１は、直方体状、円筒状又は袋状のタンク等で構成されてよい。貯留槽４１に貯留されたキャリアガスは、噴出器２０に供給され得る。また、貯留槽４１に貯留されたキャリアガスは、ポンプ４２によってセンサ部６０に供給され得る。キャリアガスは、パージガスとしてセンサ部６０に供給される。本実施形態では、パージガスとキャリアガスは、同一のガス（トイレ室Ｒの空気）が用いられる。ただし、パージガスとして、キャリアガスとは別のガスが用いられてよい。ポンプ４２は、ピエゾポンプ又はモータポンプ等で構成されてよい。ポンプ４２は、制御部６３の制御に基づいて、貯留槽４１に貯留されたキャリアガスを、センサ部６０に供給する。
【００３７】
図５に示す貯留部５０は、貯留槽５１と、ポンプ５２とを有する。貯留槽５１は、吸引器３０から吸引されたサンプルガスを貯留可能である。貯留槽５１は、直方体状、円筒状又は袋状のタンク等で構成されてよい。貯留槽５１に貯留されたサンプルガスは、ポンプ５２によってセンサ部６０に供給される。ポンプ５２は、ピエゾポンプ又はモータポンプ等で構成されてよい。ポンプ５２は、制御部６３の制御に基づいて、貯留槽５１に貯留されたサンプルガスを、センサ部６０に供給する。
【００３８】
図５に示すセンサ部６０は、特定ガスの濃度に応じた電圧を、制御部６３に出力する。特定ガスには、検出対象の特定ガスと、検出対象外の特定ガスとが含まれる。サンプルガスが便から発生するガスである場合には、検出対象の特定ガスの一例として、メタン、水素、二酸化炭素、メチルメルカプタン、硫化水素、酢酸及びトリメチルアミン等が挙げられる。また、サンプルガスが便から発生するガスである場合には、検出対象外の特定ガスの一例として、アンモニア及び水等が挙げられる。複数のセンサ部６０の各々は、これらのガスの少なくとも何れかの濃度に応じた電圧を、制御部６３に出力し得る。
【００３９】
図５に示すセンサ部６０には、貯留部４０からのキャリアガス（パージガス）と、貯留部５０からのサンプルガスとが交互に供給される。センサ部６０は、キャリアガス（パージガス）とサンプルガスとが交互に供給されることにより、電圧波形を、制御部６３に出力する。センサ部６０は、半導体式センサ、接触燃焼式センサ又は固体電解質センサ等を含んで構成されてよい。
【００４０】
図５に示す記憶部６１は、例えば、半導体メモリ又は磁気メモリ等で構成される。記憶部６１は、各種情報、及び、ガス収集装置１を動作させるためのプログラム等を記憶する。記憶部６１は、ワークメモリとして機能してよい。
【００４１】
図５に示す通信部６２は、外部の通信機器と通信可能である。外部の通信機器は、外部サーバを含んでよい。通信部６２と外部の通信機器との通信において用いられる通信方式は、近距離無線通信規格又は携帯電話網へ接続する無線通信規格であってよいし、有線通信規格であってよい。近距離無線通信規格は、例えば、ＷｉＦｉ（登録商標）、Ｂｌｕｅｔｏｏｔｈ（登録商標）、赤外線及びＮＦＣ（Near Field Communication）等を含んでよい。携帯電話網へ接続する無線通信規格は、例えば、ＬＴＥ（Long Term Evolution）又は第４世代以上の移動通信システム等を含んでよい。また、通信部６２と外部の通信機器との通信において用いられる通信方式は、例えばＬＰＷＡ（Low Power Wide Area）又はＬＰＷＡＮ（Low Power Wide Area Network）等の通信規格でもよい。
【００４２】
図５に示す制御部６３は、１以上のプロセッサを含む。プロセッサは、特定のプログラムを読み込ませて特定の機能を実行する汎用のプロセッサ、及び、特定の処理に特化した専用のプロセッサの少なくとも何れかを含んでよい。専用のプロセッサは、特定用途向けＩＣ（ＡＳＩＣ；Application Specific Integrated Circuit）を含んでよい。プロセッサは、プログラマブルロジックデバイス（ＰＬＤ；Programmable Logic Device）を含んでよい。ＰＬＤは、ＦＰＧＡ（Field-Programmable Gate Array）を含んでよい。制御部６３は、１つ又は複数のプロセッサが協働するＳｏＣ（System-on-a-Chip）、及び、ＳｉＰ（System In a Package）の少なくとも何れかを含んでよい。制御部６３は、通信部６２を介して、外部の通信機器と通信可能である。
【００４３】
図５に示す制御部６３は、ポンプ４２を制御することにより、貯留槽４１に貯留されたキャリアガス（パージガス）を、センサ部６０に供給する。制御部６３は、ポンプ５２を制御することにより、貯留槽５１に貯留されたサンプルガスを、センサ部６０に供給する。制御部６３は、センサ部６０に、パージガスとサンプルガスとを所定周期で交互に供給する。例えば、図８に示すように、制御部６３は、期間Ｔ１及び期間Ｔ２を含む所定周期で、パージガスとサンプルガスとをセンサ部６０に供給する。
【００４４】
図８は、図１に示すガス収集装置１の制御の一例を示すタイミングチャートである。図８に示すように、制御部６３は、時刻ｔ１から時刻ｔ３の間（期間Ｔ１）、センサ部６０にパージガスを供給する。また、制御部６３は、時刻ｔ３から時刻ｔ４の間（期間Ｔ２）、センサ部６０にサンプルガスを供給する。また、制御部６３は、時刻ｔ４から時刻ｔ６の間（期間Ｔ１）、センサ部６０にパージガスを供給する。また、制御部６３は、時刻ｔ６から時刻ｔ７の間（期間Ｔ２）、センサ部６０にサンプルガスを供給する。
【００４５】
図５に示す制御部６３は、センサ部６０にパージガスとサンプルガスとを所定周期で交互に供給することにより、センサ部６０から、電圧波形を取得する。制御部６３は、取得した電圧波形に基づいて、サンプルガスに含まれるガスの種類及び濃度を検出する。例えば、制御部６３は、電圧波形に対する機械学習により、サンプルガスに含まれるガスの種類及び濃度を検出する。制御部６３は、検出したサンプルガスに含まれるガスの種類及び濃度を、通信部６２によって外部の通信機器に送信してよい。
【００４６】
制御部６３は、噴出器２０及び吸引器３０を制御可能である。制御部６３は、送風機２３を制御することにより、噴出器２０にキャリアガスを噴出させる。制御部６３は、送風機３２を制御することにより、吸引器３０にサンプルガスを吸引させる。ここで、制御部６３は、上述の所定周期に基づいて設定される期間、噴出器２０にキャリアガスを噴出させて、吸引器３０にサンプルガスを吸引させてよい。
【００４７】
例えば、図８に示すように、制御部６３は、所定周期に基づいて設定される期間Ｔ３、噴出器２０にキャリアガスを噴出させて、吸引器３０にサンプルガスを吸引させてよい。より詳細には、制御部６３は、時刻ｔ２から時刻ｔ３の間（期間Ｔ３）及び時刻ｔ５から時刻ｔ６の間（期間Ｔ３）、噴出器２０にキャリアガスを噴出させて、吸引器３０にサンプルガスを吸引させてよい。このように期間Ｔ３に噴出器２０にキャリアガスを噴出させて、吸引器３０にサンプルガスを吸引させることにより、噴出器２０にキャリアガスを噴出させ続けることを防ぐことができる。噴出器２０にキャリアガスを噴出させ続けることを防ぐことにより、便器ボウル３内においてキャリアガスにより便から発生したガスの濃度が低くなる蓋然性が低減され得る。
【００４８】
このように第１実施形態に係るガス収集装置１では、図２に示すように、吸引器３０は、Ｚ方向において、噴出器２０よりも、便器ボウル３の方に位置する。また、吸引器３０の先端部は、噴出器２０の先端部よりも、便器ボウル３の内縁部３Ａから外縁部３Ｂに向かう方向へ、引込んでいる。吸引器３０が噴出器２０よりも便器ボウル３の方に位置し、且つ、吸引器３０の先端部が噴出器２０の先端部よりも引込んでいることにより、噴出器２０が噴出するキャリアガスの流れを、吸引器３０が阻害してしまう蓋然性が低減され得る。また、吸引器３０が噴出器２０よりも便器ボウル３の方に位置し、且つ、吸引器３０の先端部が噴出器２０の先端部よりも引込んでいることにより、吸引器３０は、便から発生したガスが、キャリアガスによって搬送され易い箇所に位置し得る。このような構成により、本実施形態に係るガス収集装置１では、吸引器３０によって、便から発生するガスを効率良く収集することができる。
【００４９】
さらに、第１実施形態に係るガス収集装置１では、図２に示すように、ガス収集部１０は、便座２の内縁部２Ａ及び便器ボウル３の内縁部３Ａからはみ出さないように、便座２と便器ボウル３との間に配置されている。このような構成により、ガス収集部１０が、被検者の便及び尿等によって、汚れる蓋然性が低減され得る。
【００５０】
よって、第１実施形態によれば、改善された、ガス収集装置１及びガス収集装置１の制御方法が提供され得る。
【００５１】
（第２実施形態）
図９は、本開示の第２実施形態に係るガス収集装置１０１のガス収集部１１０を示す図である。図９は、ガス収集部１１０の一部拡大図である。図１０は、図９に示すＬ３−Ｌ３線に沿った噴出器１２０の断面図である。
【００５２】
図９に示すように、ガス収集装置１０１は、少なくとも１個のガス収集部１１０を備える。ガス収集装置１０１は、第１実施形態に係るガス収集装置１と同様に、ガス収集部１１０に加えて、上述の図５に示す貯留部４０と、貯留部５０と、複数のセンサ部６０と、記憶部６１と、通信部６２と、制御部６３とを備えてよい。
【００５３】
図９に示すガス収集部１１０は、第１実施形態に係るガス収集部１０と同様に、上述の図１に示す便座２の内縁部２Ａ及び便器ボウル３の内縁部３Ａからはみ出さないように、便座２と便器ボウル３との間に配置されている。
【００５４】
図１０に示すように、ガス収集部１１０は、筐体１１に、噴出器１２０を備える。図９に示すように、ガス収集部１１０は、筐体１１に、吸引器３０を備える。ガス収集部１１０は、吸引器３０の代わりに、後述の図１１に示す吸引器２３０又は後述の図１５に示す吸引器２３０ａを備えてよい。
【００５５】
図９に示すように、筐体１１は、上述の図６に示す構成と同様に、正面１１Ａ及び正面１１Ｂを含む。図１０に示すように、筐体１１は、内周面１１Ｅ及び内周面１１Ｆを含む。内周面１１Ｅは、筐体１１の内周面のうち、Ｚ軸の正方向側に位置する内周面である。内周面１１Ｆは、筐体１１の内周面のうち、Ｚ軸の負方向側に位置する内周面である。
【００５６】
図１０に示すように、噴出器１２０は、流路１２１と、調整部材１２２と、流路１２３と、流路１２４と、第１開口部１２５と、第２開口部１２６とを含む。噴出器１２０は、上述の図５に示す噴出器２０と同様に、送風機２３を含む。
【００５７】
図１０に示す流路１２１には、上述の図５に示す送風機２３が駆動することにより、上述の図５に示す貯留部４０に貯留されたキャリアガスが流入し得る。流路１２１は、筐体１１の内周面により、規定されてよい。流路１２１は、Ｘ軸の正方向側で、流路１２３と流路１２４とに分岐する。
【００５８】
図１０に示す調整部材１２２は、流路１２３と流路１２４との間に、位置する。調整部材１２２は、筐体１１の一部であってよい。調整部材１２２は、外周面１２２Ａ及び外周面１２２Ｂを含む。外周面１２２Ａは、調整部材１２２の外周面のうち、Ｚ軸の正方向側に位置する外周面である。外周面１２２Ｂは、調整部材１２２の外周面のうち、Ｚ軸の負方向側に位置する外周面である。
【００５９】
図１０に示す流路１２３は、流路１２１に接続されている。流路１２３には、流路１２１からのキャリアガスが流入する。流路１２３に流入したキャリアガスは、第１開口部１２５から噴出される。流路１２３は、筐体１１の内周面１１Ｅ及び調整部材１２２の外周面１２２Ａにより、規定されてよい。内周面１１Ｅの形状及び外周面１２２Ａの形状は、第１開口部１２５から噴出されるキャリアガスの流速が第２開口部１２６から噴出されるキャリアガスの流速よりも速くなるように、適宜調整されてよい。
【００６０】
図１０に示す流路１２４は、流路１２１に接続されている。流路１２４には、流路１２１からのキャリアガスが流入する。流路１２４に流入したキャリアガスは、第２開口部１２６から噴出される。流路１２４は、流路１２３よりもＺ軸の負方向側に位置する。流路１２４は、筐体１１の内周面１１Ｆ及び調整部材１２２の外周面１２２Ｂにより、規定されてよい。内周面１１Ｆの形状及び外周面１２２Ｂの形状は、第２開口部１２６から噴出されるキャリアガスの流速が第１開口部１２５から噴出されるキャリアガスの流速よりも遅くなるように、適宜調整されてよい。
【００６１】
図１０に示すように、第１開口部１２５からは、キャリアガスが噴出される。第１開口部１２５は、筐体１１の内周面１１ＥのＸ軸の正方向側の端部１１Ｅ１と、調整部材１２２の外周面１２２ＡのＸ軸の正方向側の端部１２２Ａ１とによって囲まれる領域として特定されてよい。第１開口部１２５から噴出されるキャリアガスの流速は、第２開口部１２６から噴出されるキャリアガスの流速よりも、速い。第１開口部１２５は、上述の図６に示す開口部２２と同様に、上述の図１に示す上面視において便器ボウル３の内側を向く。第１開口部１２５は、上述の図６に示す開口部２２と同様に、上述の図１に示す便器ボウル３の内縁部３Ａに沿って延在する。
【００６２】
図１０に示すように、第２開口部１２６からは、キャリアガスが噴出される。第２開口部１２６は、筐体１１の内周面１１ＦのＸ軸の正方向側の端部１１Ｆ１と、調整部材１２２の外周面１２２ＢのＸ軸の正方向側の端部１２２Ｂ１とによって囲まれる領域として特定されてよい。第２開口部１２６から噴出されるキャリアガスの流速は、第１開口部１２５から噴出されるキャリアガスの流速よりも、遅い。図９に示すように、第２開口部１２６は、第１開口部１２５よりも、Ｚ軸の負方向側に位置する。換言すると、第２開口部１２６は、図１に示す便座２と便器ボウル３との間において第１開口部１２５よりも、便器ボウル３の方に位置する。また、第２開口部１２６は、第１開口部１２５と同様に、上述の図１に示す上面視において便器ボウル３の内側を向く。また、第２開口部１２６は、第１開口部１２５と同様に、上述の図１に示す便器ボウル３の内縁部３Ａに沿って延在する。
【００６３】
このように第２実施形態に係るガス収集部１１０では、図１０に示すように、第１開口部１２５から噴出されるキャリアガスの流速が、第２開口部１２６から噴出されるキャリアガスの流速よりも、速い。このような構成により、第２実施形態に係るガス収集部１１０では、コアンダ効果を効率良く発揮することができる。コアンダ効果が効率良く発揮されることにより、キャリアガスは、上述の図２に示す便器ボウル３の内部を効率良く旋回することができる。キャリアガスが効率良く上述の図２に示す便器ボウル３の内部を効率良く旋回することにより、キャリアガスは、図９に示す吸引器３０に便から発生したガスを効率良く搬送することができる。従って、第２実施形態に係るガス収集部１１０は、便から発生したガスをより効率良く収集することができる。
【００６４】
第２実施形態に係るガス収集装置１０１のその他の効果及び構成は、第１実施形態に係るガス収集装置１と同様である。
【００６５】
（第３実施形態）
図１１は、本開示の第３実施形態に係るガス収集装置２０１のガス収集部２１０を示す図である。図１１は、図１に示すＬ１−Ｌ１線に沿った断面図に相当する。図１２は、図１１に示すガス収集部２１０の一部拡大図である。図１３は、図１２に示すＬ４−Ｌ４線に沿った噴出器２２０の断面図である。
【００６６】
図１１に示すように、ガス収集装置２０１は、少なくとも１個のガス収集部２１０を備える。ガス収集装置２０１は、第１実施形態に係るガス収集装置１と同様に、ガス収集部２１０に加えて、上述の図５に示す貯留部４０と、貯留部５０と、複数のセンサ部６０と、記憶部６１と、通信部６２と、制御部６３とを備えてよい。
【００６７】
図１１に示すガス収集部２１０は、第１実施形態に係るガス収集部１０と同様に、便座２の内縁部２Ａ及び便器ボウル３の内縁部３Ａからはみ出さないように、便座２と便器ボウル３との間に配置されている。
【００６８】
図１２に示すように、ガス収集部２１０は、筐体１１に、噴出器２２０を備える。図１２に示すように、ガス収集部２１０は、筐体１１に、吸引器２３０を備える。ガス収集部２１０は、吸引器２３０の代わりに、上述の図６に示す吸引器３０を備えてよい。
【００６９】
図１２に示すように、噴出器２２０は、複数のノズル２２１を含む。噴出器２２０は、上述の図５に示す噴出器２０と同様に、送風機２３を含む。
【００７０】
図１２に示すノズル２２１は、樹脂製チューブ或いは金属又はガラス製配管等の管状の部材で構成されてよい。複数のノズル２２１は、上述の図１に示す便器ボウル３の内縁部３Ａに略沿って並ぶ。例えば、上述のように、図１に示すガス収集部１０−１の付近の内縁部３Ａは、上面視において緩やかな弧状である。そのため、図１２に示す構成では、Ｙ方向は、図１に示すガス収集部１０−１の付近の内縁部３Ａが略沿う方向に対応する。従って、図１２に示す構成では、複数のノズル２２１は、Ｙ方向に沿って並ぶ。複数のノズル２２１は、間隔ｄ２を空けて、Ｙ方向に沿って並んでよい。間隔ｄ２は、ノズル２２１の数等を考慮して、適宜決定されてよい。間隔ｄ２は、間隔ｄ１と同様であってよい。
【００７１】
図１３に示すように、ノズル２２１は、筐体１１の内部に埋め込まれていてよい。ノズル２２１には、上述の図５に示す送風機２３が駆動することにより、上述の図５に示す貯留部４０に貯留されたキャリアガスが流入し得る。ノズル２２１に流入したキャリアガスは、ノズル２２１の先端部から噴出される。ノズル２２１の先端部の内周面２２１Ａは、ノズル２２１の先端部から噴出されるキャリアガスの向きを考慮して、適宜調整されてよい。
【００７２】
図１２に示すように、吸引器２３０は、複数のノズル２３１を含む。吸引器２３０は、上述の図５に示す吸引器３０と同様に、送風機３２を含む。
【００７３】
図１２に示すノズル２３１は、上述の図６に示すノズル３１と同様に、樹脂製チューブ或いは金属又はガラス製配管等の管状の部材で構成されてよい。複数のノズル２３１は、上述の図６に示すノズル３１と同様に、例えば間隔ｄ１を空けて、上述の図１に示す便器ボウル３の内縁部３Ａに略沿って並ぶ。
【００７４】
図１２に示すように、ノズル２３１は、筐体１１の正面１１Ｂから突出する。つまり、ノズル２３１は、ガス収集部２１０の筐体１１から突出する。このような構成により、図１１に示す便器ボウル３の内面３Ｃの形状に応じては、ノズル２３１は、サンプルガスを、より効率良く吸引することができる。
【００７５】
第３実施形態に係るガス収集装置２０１の効果及びその他の構成は、第１実施形態に係るガス収集装置１と同様である。
【００７６】
（第３実施形態の他の例）
図１４は、図１２に示すＬ４−Ｌ４線に沿った他の例の噴出器２２０ａの断面図である。図１４に示すように、噴出器２２０ａは、ノズル２２１の内部に、ニードル２２２を含んでよい。
【００７７】
ニードル２２２は、金属製材料又は合成樹脂材料で形成されてよい。ニードル２２２の内径は、ノズル２２１の内径よりも、小さい。ニードル２２２の外周面とノズル２２１の内周面との間には、上述の図５に示す送風機２３が駆動することにより、上述の図５に示す貯留部４０に貯留されたキャリアガスが流入し得る。ニードル２２２の外周面とノズル２２１の内周面との間に流入したキャリアガスは、噴出器２２０ａの先端部から噴出される。キャリアガスがニードル２２２の外周面とノズル２２１の内周面との間を通過することにより、噴出器２２０ａから噴出されるキャリアガスの流速を速めることができる。キャリアガスの流速が速くなることにより、キャリアガスをより遠くまで噴出することができる。キャリアガスをより遠くまで噴出することにより、図１１に示す便器ボウル３の内面３Ｃの形状に応じては、キャリアガスを効率良く旋回させることができる。
【００７８】
噴出器２２０ａのその他の効果及び構成は、図１２に示す噴出器２２０と同様である。
【００７９】
（第３実施形態のさらに他の例）
図１５は、本開示の第３実施形態に係る他の例の吸引器２３０ａを示す図である。吸引器２３０ａは、図１１に示すノズル２３１の代わりに、ノズル２３１ａを含む。
【００８０】
複数のノズル２３１ａは、図１２に示すノズル２３１と同様に、ガス収集部２１０の筐体１１から突出する。複数のノズル２３１ａの先端は、便器ボウル３の内面３Ｃの方を向く。例えば、複数のノズル２３１ａの先端は、便器ボウル３の内面３Ｃに向けて傾斜してよい。
【００８１】
便器ボウル３の内面３Ｃの形状に応じては、便から発生したガスは、キャリアガスとともに、内面３Ｃの表面に沿ってガス収集部２１０の方へ流れる場合がある。この場合、複数のノズル２３１ａの先端が便器ボウル３の内面３Ｃの方を向くことにより、吸引器２３０ａは、サンプルガスを効率良く吸引することができる。
【００８２】
吸引器２３０ａのその他の効果及び構成は、図１２に示す吸引器２３０と同様である。
【００８３】
本開示に係る実施形態について説明する図は模式的なものである。図面上の寸法比率等は、現実のものとは必ずしも一致していない。
【００８４】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部等に含まれる機能等は論理的に矛盾しないように再配置可能であり、複数の構成部等を１つに組み合わせたり、或いは、分割したりすることが可能である。
【００８５】
例えば、上述の第１実施形態では、図１に示す上面視において、ガス収集部１０が位置する箇所は、便座２の左部分２Ｌ及び右部分２Ｒであるものとして説明した。ただし、ガス収集部１０が位置する箇所は、これに限定されない。ガス収集部１０は、上面視において便座２の何れの箇所に位置していてよい。ガス収集部１０が位置する箇所の他の例として、図１に示す上面視において、便座２のＹ軸の負方向側に位置する緩やかに突出する部分、及び、便座２のＹ軸の正方向側に位置する緩やかに突出する部分等が挙げられる。
【００８６】
例えば、上述の第３実施形態では、図１２に示すように、噴出器２２０のノズル２２１は、筐体１１から突出しないものとして説明した。ただし、ノズル２２１は、噴出器２２０から突出してよい。この場合、ノズル２２１は、Ｚ軸の負方向側に向けて傾斜してよい。
【００８７】
本開示において「第１」及び「第２」等の記載は、当該構成を区別するための識別子である。本開示における「第１」及び「第２」等の記載で区別された構成は、当該構成における番号を交換することができる。例えば、第１開口部は、第２開口部と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００８８】
１，１０１，２０１  ガス収集装置
２  便座
２Ａ  内縁部
２Ｒ  右部分
２Ｌ  左部分
３  便器ボウル
３Ａ  内縁部
３Ｂ  外縁部
３Ｃ  内面
４  クッション
５  臀部
５Ｒ  右臀部
５Ｌ  左臀部
６  便
１０，１０−１，１０−２，１１０，２１０  ガス収集部
１１  筐体
１１Ａ，１１Ｂ  正面
１１Ｃ，１１Ｄ，１１Ｅ，１１Ｆ  内周面
１１Ｃ１，１１Ｄ１，１１Ｅ１，１１Ｆ１  端部
２０，１２０，２２０，２２０ａ  噴出器
２１  流路
２２  開口部
２３  送風機
３０，２３０，２３０ａ  吸引器
３１，２３１，２３１ａ  ノズル
３２  送風機
４０，５０  貯留部
４１，５１  貯留槽
４２，５２  ポンプ
６０  センサ部
６１  記憶部
６２  通信部
６３  制御部
１２１，１２３，１２４  流路
１２２  調整部材
１２２Ａ，１２２Ｂ  外周面
１２２Ａ１，１２２Ｂ１  端部
１２５  第１開口部
１２６  第２開口部
２２１  ノズル
２２１Ａ  内周面
２２２  ニードル
Ｒ  トイレ室
【図１】
2020165202.tif 000003
【図２】
2020165202.tif 000004
【図３】
2020165202.tif 000005
【図４】
2020165202.tif 000006
【図５】
2020165202.tif 000007
【図６】
2020165202.tif 000008
【図７】
2020165202.tif 000009
【図８】
2020165202.tif 000010
【図９】
2020165202.tif 000011
【図１０】
2020165202.tif 000012
【図１１】
2020165202.tif 000013
【図１２】
2020165202.tif 000014
【図１３】
2020165202.tif 000015
【図１４】
2020165202.tif 000016
【図１５】
2020165202.tif 000017